(57)【要約】【課題】住戸内の在居者に応じて動的かつリアルタイムに住戸内に配置した各種機器を制御することを課題とする。【解決手段】入退出管理部５２が指紋照合部５１による指紋照合結果を利用して在宅状況テーブル６２を用いた入退出管理を動的かつリアルタイムにおこなうとともに、制御部５３が在宅状況テーブル６２内に保持した各居住者の在宅状況に応じてセキュリティシステム１０、家電システム２０、配送コントローラ４０、決済コントローラを制御する。【選択図】        図１
2006128824.tif 000002
【特許請求の範囲】
【請求項１】
住戸内に配置した各種機器をコントローラに接続し、該コントローラの制御によって前記各種機器の動作制御をおこなうホームコントロールシステムであって、
前記住戸の各居住者の身体的特徴に基づいて該居住者の入退出状況を管理する入退出管理手段と、
前記入退出管理手段により管理された入退出状況に応じて前記住戸内に配置した一または複数の機器を制御する制御手段と
を備えたことを特徴とするホームコントロールシステム。
【請求項２】
前記各種機器は、セキュリティシステム、家電システム、配送システムおよび／または決済システムに係る機器であることを特徴とする請求項１に記載のホームコントロールシステム。
【請求項３】
前記入退出管理手段は、各居住者の身体的特徴を登録した登録データを記憶する登録データ記憶手段と、前記居住者が前記住戸から入退出する際に該居住者の身体的特徴を取得する取得手段と、前記取得手段により取得された身体的特徴を前記登録データ記憶手段に記憶した登録データと照合して入退出者を特定する特定手段と、前記特定手段による特定結果に基づいて各居住者の在宅状況を管理する在宅状況管理手段とを備えたことを特徴とする請求項１または２に記載のホームコントロールシステム。
【請求項４】
前記身体的特徴は各居住者の指紋であり、前記取得手段は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする請求項３に記載のホームコントロールシステム。
【請求項５】
前記身体的特徴は各居住者の指紋であり、前記取得手段は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする請求項３に記載のホームコントロールシステム。
【請求項６】
前記在宅状況管理手段は、各居住者が在宅しているか否か並びに入退出時間を記憶した在宅状況テーブルを用いて各居住者の在宅状況を管理することを特徴とする請求項３、４または５に記載のホームコントロールシステム。
【請求項７】
在宅者若しくは在宅者の組み合わせごとに制御対象となる機器を規定したモードテーブルをさらに備え、前記制御手段は、前記入退出管理手段により管理された入退出状況並びに前記モードテーブルに基づいて、前記住戸内に配置した一または複数の機器を制御することを特徴とする請求項１〜６のいずれか一つに記載のホームコントロールシステム。
【請求項８】
住戸内に配置した各種機器をコントローラに接続し、該コントローラの制御によって前記各種機器の動作制御をおこなうホームコントロール方法であって、
前記住戸の各居住者の身体的特徴に基づいて該居住者の入退出状況を管理する入退出管理工程と、
前記入退出管理工程により管理された入退出状況に応じて前記住戸内に配置した一または複数の機器を制御する制御工程と
を含んだことを特徴とするホームコントロール方法。
【請求項９】
前記入退出管理工程は、各居住者の身体的特徴を登録した登録データを格納する登録データ格納工程と、前記居住者が前記住戸から入退出する際に該居住者の身体的特徴を取得する取得工程と、前記取得工程により取得された身体的特徴を登録データと照合して入退出者を特定する特定工程と、前記特定工程による特定結果に基づいて各居住者の在宅状況を管理する在宅状況管理工程とを含んだことを特徴とする請求項８に記載のホームコントロール方法。
【請求項１０】
前記取得工程は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする請求項９に記載のホームコントロール方法。
【請求項１１】
前記取得工程は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする請求項９に記載のホームコントロール方法。
【請求項１２】
住戸内に配置した各種機器をコントローラに接続し、該コントローラの制御によって前記各種機器の動作制御をおこなうホームコントローラ用プログラムであって、
前記住戸の各居住者の身体的特徴に基づいて該居住者の入退出状況を管理する入退出管理手順と、
前記入退出管理手順により管理された入退出状況に応じて前記住戸内に配置した一または複数の機器を制御する制御手順と
をコンピュータに実行させることを特徴とするホームコントローラ用プログラム。
【請求項１３】
前記入退出管理手順は、各居住者の身体的特徴を登録した登録データを格納する登録データ格納手順と、前記居住者が前記住戸から入退出する際に該居住者の身体的特徴を取得する取得手順と、前記取得手順により取得された身体的特徴を登録データと照合して入退出者を特定する特定手順と、前記特定手順による特定結果に基づいて各居住者の在宅状況を管理する在宅状況管理手順とを含んだことを特徴とする請求項１２に記載のホームコントローラ用プログラム。
【請求項１４】
前記取得手順は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする請求項１３に記載のホームコントローラ用プログラム。
【請求項１５】
前記取得手順は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする請求項１３に記載のホームコントローラ用プログラム。
【発明の詳細な説明】
【技術分野】
【０００１】
本発明は、住戸内に配置した各種機器をコントローラに接続し、該コントローラの制御によって前記各種機器の動作制御をおこなうホームコントロールシステム、ホームコントロール方法およびホームコントローラ用プログラムに関し、特に、住戸内の在居者に応じて動的かつリアルタイムに住戸内の各種機器を制御することができるホームコントロールシステム、ホームコントロール方法およびホームコントローラ用プログラムに関する。
【背景技術】
【０００２】
従来、いわゆるホームコントローラと呼ばれる制御装置を住戸内に配設し、このホームコントローラを用いてエアコンやガスなどの家電システムを制御する技術が知られている。たとえば、特許文献１には、住戸内にホームコントローラ２０を配設するとともに、かかるホームコントローラ２０にエアコン１２などの家電システムを接続し、外出中のユーザが家庭内にある電子機器を制御できるよう構成したホームコントロールシステムが開示されている。
【０００３】
また、上記特許文献１のようにホームコントローラを用いて家電システム等を制御するだけではなく、かかるホームコントローラを用いてホームセキュリティを確保する技術も知られている。たとえば、特許文献２には、住戸内に設置したセンサユニット１３１等のセキュリティ機器をコントロールユニット１１０にＬＡＮ接続し、利用者が携帯電話機等の操作により外出先からセキュリティ機器を制御できるよう構成したホームセキュリティシステムが開示されている。
【０００４】
【特許文献１】特開２００２−２５９６７８号公報
【特許文献２】特開２００４−１２８８２１号公報
【発明の開示】
【発明が解決しようとする課題】
【０００５】
しかしながら、これら特許文献１および２のものは、各種機器を遠隔制御できるとは言え、その機器設定はあくまでもユーザ自身がおこなわねばならないので、住戸の状況に適合した動的な機器設定をすることができないという問題がある。
【０００６】
たとえば、両親が住戸内に在居している場合には、家電システムの制限をなくしセキュリティシステムを解除することが望ましいが、両親が不在で低学年の子供のみが住戸内に在居している場合には、最低限必要な家電システムの稼働のみを許し、セキュリティレベルを上げる必要がある。また、家族全員が外出中であり住戸内の在居者が居ない場合には、一切の家電システムの使用を制限するとともに、セキュリティレベルを上げておく必要がある。
【０００７】
このように、住戸内の機器を制御するに際しては、「誰が住戸内に在居しているか」によって動的に変更制御することが望ましいが、上記従来技術では、かかる問題を解決することができない。このため、住戸内の在居者に応じて動的に各種機器を動的に制御することができるホームコントロールシステムをいかにして実現するかが重要な課題となっている。
【０００８】
この発明は、上記課題（問題点）に鑑みてなされたものであり、住戸内の在居者に応じて動的かつリアルタイムに住戸内の各種機器を制御することができるホームコントロールシステム、ホームコントロール方法およびホームコントローラ用プログラムを提供することを目的とする。
【課題を解決するための手段】
【０００９】
上述した課題を解決するため、本発明は、住戸内に配置した各種機器をコントローラに接続し、該コントローラの制御によって前記各種機器の動作制御をおこなうホームコントロールシステムであって、前記住戸の各居住者の身体的特徴に基づいて該居住者の入退出状況を管理する入退出管理手段と、前記入退出管理手段により管理された入退出状況に応じて前記住戸内に配置した一または複数の機器を制御する制御手段とを備えたことを特徴とする。
【００１０】
また、本発明は、上記発明において、前記各種機器は、セキュリティシステム、家電システム、配送システムおよび／または決済システムに係る機器であることを特徴とする。
【００１１】
また、本発明は、上記発明において、前記入退出管理手段は、各居住者の身体的特徴を登録した登録データを記憶する登録データ記憶手段と、前記居住者が前記住戸から入退出する際に該居住者の身体的特徴を取得する取得手段と、前記取得手段により取得された身体的特徴を前記登録データ記憶手段に記憶した登録データと照合して入退出者を特定する特定手段と、前記特定手段による特定結果に基づいて各居住者の在宅状況を管理する在宅状況管理手段とを備えたことを特徴とする。
【００１２】
また、本発明は、上記発明において、前記身体的特徴は各居住者の指紋であり、前記取得手段は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする。
【００１３】
また、本発明は、上記発明において、前記身体的特徴は各居住者の指紋であり、前記取得手段は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする。
【００１４】
また、本発明は、上記発明において、前記在宅状況管理手段は、各居住者が在宅しているか否か並びに入退出時間を記憶した在宅状況テーブルを用いて各居住者の在宅状況を管理することを特徴とする。
【００１５】
また、本発明は、上記発明において、在宅者若しくは在宅者の組み合わせごとに制御対象となる機器を規定したモードテーブルをさらに備え、前記制御手段は、前記入退出管理手段により管理された入退出状況並びに前記モードテーブルに基づいて、前記住戸内に配置した一または複数の機器を制御することを特徴とする。
【００１６】
また、本発明は、住戸内に配置した各種機器をコントローラに接続し、該コントローラの制御によって前記各種機器の動作制御をおこなうホームコントロール方法であって、前記住戸の各居住者の身体的特徴に基づいて該居住者の入退出状況を管理する入退出管理工程と、前記入退出管理工程により管理された入退出状況に応じて前記住戸内に配置した一または複数の機器を制御する制御工程とを含んだことを特徴とする。
【００１７】
また、本発明は、上記発明において、前記入退出管理工程は、各居住者の身体的特徴を登録した登録データを格納する登録データ格納工程と、前記居住者が前記住戸から入退出する際に該居住者の身体的特徴を取得する取得工程と、前記取得工程により取得された身体的特徴を登録データと照合して入退出者を特定する特定工程と、前記特定工程による特定結果に基づいて各居住者の在宅状況を管理する在宅状況管理工程とを含んだことを特徴とする。
【００１８】
また、本発明は、上記発明において、前記取得工程は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする。
【００１９】
また、本発明は、上記発明において、前記取得工程は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする。
【００２０】
また、本発明は、住戸内に配置した各種機器をコントローラに接続し、該コントローラの制御によって前記各種機器の動作制御をおこなうホームコントローラ用プログラムであって、前記住戸の各居住者の身体的特徴に基づいて該居住者の入退出状況を管理する入退出管理手順と、前記入退出管理手順により管理された入退出状況に応じて前記住戸内に配置した一または複数の機器を制御する制御手順とをコンピュータに実行させることを特徴とする。
【００２１】
また、本発明は、上記発明において、前記入退出管理手順は、各居住者の身体的特徴を登録した登録データを格納する登録データ格納手順と、前記居住者が前記住戸から入退出する際に該居住者の身体的特徴を取得する取得手順と、前記取得手順により取得された身体的特徴を登録データと照合して入退出者を特定する特定手順と、前記特定手順による特定結果に基づいて各居住者の在宅状況を管理する在宅状況管理手順とを含んだことを特徴とする。
【００２２】
また、本発明は、上記発明において、前記取得手順は、指紋検出部を含む赤外線通信可能な携帯型リモコン型の鍵を所持する居住者が該鍵と赤外線通信可能な赤外線通信装置が配設されたドアを通過する際に、当該居住者の指紋データを前記赤外線通信装置を介して取得することを特徴とする。
【００２３】
また、本発明は、上記発明において、前記取得手順は、指紋検出部を含む非接触ＩＣカードを所持する居住者が該非接触ＩＣカードと通信可能なリーダが配設されたドアを通過する際に、当該居住者の指紋データを前記リーダを介して取得することを特徴とする。
【発明の効果】
【００２４】
本発明によれば、住戸の各居住者の身体的特徴に基づいて該居住者の入退出状況を管理し、管理した入退出状況に応じて住戸内に配置した一または複数の機器を制御するよう構成したので、住戸内の在居者に応じて動的かつリアルタイムに住戸内の各種機器を制御することができる
【００２５】
また、本発明によれば、各種機器をセキュリティシステム、家電システム、配送システムおよび／または決済システムに係る機器としたので、セキュリティシステムや家電システムなどを総合的に動的に制御することができる。
【００２６】
また、本発明によれば、各居住者の身体的特徴を登録した登録データを記憶しておき、居住者が住戸から入退出する際に該居住者の身体的特徴を取得し、取得した身体的特徴を登録データと照合して入退出者を特定し、この特定結果に基づいて各居住者の在宅状況を管理するよう構成したので、居住者の入退出を踏まえて正確に在宅状況を管理することができる。
【００２７】
また、本発明によれば、指紋検出部を含む赤外線通信可能な携帯型リモコン型の鍵を所持する居住者が該鍵と赤外線通信可能な赤外線通信装置が配設されたドアを通過する際に、当該居住者の指紋データを赤外線通信装置を介して取得するよう構成したので、既存の赤外線通信技術を利用して効率良く入退出管理をおこなうことができる。
【００２８】
また、本発明によれば、指紋検出部を含む非接触ＩＣカードを所持する居住者が該非接触ＩＣカードと通信可能なリーダが配設されたドアを通過する際に、当該居住者の指紋データをリーダを介して取得するよう構成したので、既存の非接触ＩＣカード技術を利用して効率良く入退出管理をおこなうことができる。
【００２９】
また、本発明によれば、各居住者が在宅しているか否か並びに入退出時間を記憶した在宅状況テーブルを用いて各居住者の在宅状況を管理するよう構成したので、各居住者の在宅状況を軽易に管理できるとともに、何らかの問題が発生した場合に居住者の入退出状況を正確に把握することができる。
【００３０】
また、本発明によれば、在宅者若しくは在宅者の組み合わせごとに制御対象となる機器を規定したモードテーブルと入退出状況に基づいて、住戸内に配置した一または複数の機器を制御するよう構成したので、居住者がモードテーブルに所望の制御パターンを登録しておくだけで、家庭環境に適合した機器制御を動的かつリアルタイムにおこなうことができる。
【発明を実施するための最良の形態】
【００３１】
以下に、本発明にかかるホームコントロールシステム、ホームコントロール方法およびホームコントローラ用プログラムの実施例を図面に基づいて詳細に説明する。なお、ここではコントローラによる制御対象が、セキュリティシステム、家電システム、配送システムおよび決済システムである場合を示すこととする。また、以下に示す実施例１では赤外線通信機能を有する携帯型リモコンに本発明を適用した場合を説明し、実施例２では非接触ＩＣカードに本発明を適用した場合を説明する。
【実施例１】
【００３２】
図１は、本実施例１にかかるホームコントロールシステムのシステム構成を示すブロック図である。同図に示すホームコントロールシステムは、住戸内に設置されたセキュリティシステム１０、家電システム２０、配送システム用の配送コントローラ３０、決済システム用の決済コントローラ４０をホームコントローラ５０（以下、「コントローラ５０」と言う）により集中制御するシステムである。このコントローラ５０は、登録指紋データ６１、在宅状況テーブル６２およびモードテーブル６３を記憶する記憶部６０を有する。
【００３３】
ここで、このホームコントロールシステムは、住戸内に設置された各種システムを単にコントローラ５０により集中制御するものではなく、「住戸内の在居者に応じて動的に各種機器を制御する」点にその特徴がある。たとえば、両親が在居中の場合には、家電システムの制限をなくしセキュリティシステムをオフ制御（解除）し、両親が不在で低学年の子供のみが住戸内に在居している場合には、最低限必要な家電システムの稼働のみを許し、セキュリティシステムをオン制御にし、家族全員が外出中であり住戸内の在居者が居ない場合には、一切の家電システムの使用を制限するとともに、セキュリティシステムをオン制御する。
【００３４】
このため、かかるホームコントロールシステムでは、現時点で家族の誰が在居しているかを常に把握する必要が生じる。そこで、本実施例１では指紋センサ付きの携帯型リモコンを鍵として各居住者に渡しておき、居住者の入退出時に鍵を通じて入退出者の指紋データをコントローラ５０に送信し、入退出状況をリアルタイムで管理することとしている。具体的には、赤外線通信によって指紋データを授受する赤外線通信装置を玄関ドア付近に配設するとともに、指紋検出部を備えた携帯型リモコンで鍵を形成し、玄関ドアの施錠／開錠時並びに開放された玄関ドアを居住者が通過する際に該居住者の操作に応答して指紋データをコントローラ５０に送信することとしている。
【００３５】
かかる赤外線通信装置は、玄関ドアの外側と玄関ドアの内側の２カ所に設けられていることが望ましい。この場合には、居住者が玄関ドアのドアロックを外から施錠または開錠する際には玄関ドアの外側に配設した赤外線通信装置を利用し、在宅中の居住者が内側から玄関ドアのドアロックを施錠または開錠する際には玄関ドアの内側に配設した赤外線通信装置を利用することになる。また、居住者が玄関ドアのドアロックを施錠／開錠することなく単に通過する場合には、上記２つの赤外線通信装置のいずれかに鍵（携帯型リモコン）を向けて所定の操作（指紋データ送信行為）をおこなうことになる。
【００３６】
なお、本実施例１では、居住者が玄関ドアを通過する際に居住者自身が赤外線通信装置に向けて指紋データを送信する行為をおこなう場合について説明するが、玄関ドア付近に居住者が到来した際に、赤外線通信装置から鍵に対して指紋データを要求し、この要求に応答して鍵から赤外線通信装置に対して自動的に指紋データを赤外線送信するよう構成することにより、居住者自身の操作なしに指紋データを赤外線通信装置に送信することもできる。
【００３７】
コントローラ５０は、あらかじめ登録された登録指紋データ６１と入力指紋データとの照合によって玄関ドアの施錠／開錠制御並びに在宅状況テーブル６２の更新をおこない、その在宅状況テーブル６２内の在宅状況に適合するように各システムを制御する。具体的には、モードテーブル６３には各在宅状況と制御対象の関係が格納されているので、かかるモードテーブル６３を参照しつつ各システムの制御をおこなう。
【００３８】
図１に示すように、このホームコントロールシステムは、セキュリティシステム１０を形成するドアロック制御部１１、ドアホン１２および警報コントローラ１３と、家電システム２０を形成するエアコンコントローラ２１およびガスコントローラ２２と、配送コントローラ３０と、決済コントローラ４０とをコントローラ５０に接続した構成となる。
【００３９】
ドアロック制御部１１は、コントローラ５０からの指示信号に応答して玄関ドア等の施錠制御および開錠制御をおこなう制御部である。具体的には、このドアロック制御部１１は、鍵から赤外線送信された指紋データを受信する赤外線通信装置と接続されており、この赤外線通信装置が受信した入力指紋データを受け付けてコントローラ５０に送信するとともに、この入力指紋データに応答して返信される指示信号（開錠指示信号または施錠指示信号）に対応する制御をおこなう。なお、ここでは説明の便宜上、ドアロック制御部１１の制御対象を玄関ドアとした場合について説明するが、住戸内の他のドアの開閉制御をおこなうこともできる。
【００４０】
ドアホン１２は、コントローラ５０の制御の下に機能する来客対応用のドアホンであり、このドアホン１２がオン制御されている場合に呼出部が押下されると室内に呼び出し音を鳴動させるが、このドアホン１２がオフ制御されると呼出部が押下されたとしても室内に呼び出し音は鳴動させない。なお、ここではその詳細な説明を省略するが、このドアホン１２にディスプレイを設け、来客者を撮像した画像を表示することもできる。
【００４１】
警報コントローラ１３は、セキュリティ会社と連携した警備をおこなう警備システムの中核をなすコントローラであり、住戸内の窓などに配設した各種センサやカメラが接続されるとともに、外部の警備センタへネットワークを介して接続される。この警報コントローラ１３は、コントローラ５０によって制御され、オン制御されている場合にいずれかのセンサやカメラが不審物を検知すると、その状況が外部の警備センタに通知される。なお、警報コントローラ１３は、センサのみをアクティブにした警戒レベル１、センサとカメラの両方をアクティブにした警戒レベル２というように多段階の警戒レベルに応じた制御をおこなうことができる。
【００４２】
エアコンコントローラ２１は、コントローラ５０の制御の下に、住戸の各部屋に配設されたエアコンを集中制御する制御部である。各室に配設されたエアコンは、それぞれ付設のリモコンによって操作可能であるが、エアコンコントローラ２１によって所定のエアコン若しくは全エアコンがオフ制御されると、該当するエアコンはリモコンの制御を受け付けず動作不能状態となる。なお、エアコンコントローラ２１は、それぞれ個別にエアコンを制御することができる。
【００４３】
ガスコントローラ２２は、コントローラ５０の制御の下に、ガスコンロ、ガスストーブおよび床暖房などの各種ガス使用機器へのガスの供給を制御する制御部である。このガスコントローラ２２によってガスの供給が停止されると、各種ガス使用機器は、機能発揮することはできない。なお、ガスコントローラ２２は、それぞれ個別にガス使用機器へのガス供給を制御することができる。
【００４４】
配送コントローラ３０は、コントローラ５０の制御の下に、宅配業者の端末装置に対して宅配便の受け取りの可否を通知するよう制御する制御部である。たとえば、外出中の成人（親）が帰宅したならば、宅配業者の端末装置に対して在宅中である旨を通知するよう制御する。これにより、宅配業者が宅配物を持参したにも係わらず不在であったという状況を避け、業務効率を高めることができる。
【００４５】
決済コントローラ４０は、コントローラ５０の制御の下に、商品をネット通販（テレビショッピングも含む）などで購入する際の決済が可能とするか否かを制御する制御部である。具体的には、商品をネット通販で購入する際に、登録指紋データを送信することにより捺印に代えて決済をおこなうケースを考えると、かかる登録指紋データを第三者や未成年者が送信すると決済上重大な問題が生ずる。このため、決済コントローラ４０は、成人（親）が不在であるような場合に、かかる決済を認めないよう制御する。
【００４６】
コントローラ５０は、住戸の在宅状況をリアルタイムに管理しつつ、この在宅状況を踏まえてホームコントロールシステムを動的に制御する制御装置である。たとえば、このコントローラ５０は、両親が在居中の場合には、家電システムの制限をなくしセキュリティシステムをオフ制御（解除）し、両親が不在で低学年の子供のみが住戸内に在居している場合には、最低限必要な家電システムの稼働のみを許し、セキュリティシステムをオン制御し、家族全員が外出中であり住戸内の在居者が居ない場合には、一切の家電システムの使用を制限するとともに、セキュリティシステムをオン制御する。
【００４７】
このコントローラ５０は、指紋照合部５１、入退出管理部５２、制御部５３および記憶部６０を有する。指紋照合部５１は、ドアロック制御部１１を介して受け付けた入力指紋データを記憶部６０に記憶した登録指紋データと照合する処理部である。かかる指紋照合をおこなう理由は、施錠／開錠指示をおこなった者が居住者のいずれかであるか否かを判定するとともに、玄関ドアを入退出する者が居住者のうちの誰であるかを特定するためである。すなわち、玄関ドアの施錠／開錠要求がなされた場合と、玄関ドアを居住者が通過した場合に、入力指紋データがドアロック制御部１１を介して指紋照合部５１に入力されるため、指紋照合部５１は、かかる入力指紋データを受け付けた際に指紋照合処理をおこなう。なお、指紋照合技術としてはいかなるものを採用しても良く、たとえば指紋データの特徴点相互の照合率や指紋データのマッチング度合いに基づいて指紋照合をおこなうことができる。
【００４８】
入退出管理部５２は、玄関ドアの入退出状況に基づいて「誰が在宅しているか」という在宅状況を管理する管理部であり、具体的には、鍵を保持する居住者が玄関ドアを通過した際に、この鍵に記憶された指紋データがドアロック制御部１１を介してコントローラ５０に送信され、指紋照合部５１は登録指紋データと比較して誰が入退出したかを認識し、入退出管理部５２はその状況を在宅状況テーブル６２に登録する。
【００４９】
制御部５３は、在宅状況テーブル６２に登録された居住者の在宅状況に基づいて住戸内に配設された各種機器を動的に制御する制御部である。具体的には、どのようなシチュエーションの場合にいかなる制御をおこなうかという内容をあらかじめモードテーブル６３に記憶しておき、在宅状況テーブル６２内の居住者の在宅状況に応じていずれかのモードに対応する制御をおこなう。
【００５０】
記憶部６０は、すでに説明した登録指紋データ６１、在宅状況テーブル６２およびモードテーブル６３を記憶するハードディスクなどの記憶デバイスである。登録指紋データ６１は、入力指紋データの比較対照となる各居住者の指紋データをあらかじめ登録したものである。
【００５１】
在宅状況テーブル６２は、各居住者の在宅状況を管理する際に用いるテーブルであり、図６には在宅状況テーブル６２の一例を示している。同図に示すように、この在宅状況テーブル６２には、各居住者ごとに在宅状況、入宅時刻、出宅時刻が格納されている。なお、入宅時刻および出宅時刻を格納する理由は、セキュリティ上の何らかの問題が生じた場合の状況把握を的確におこなうことができるようにするためである。
【００５２】
モードテーブル６３は、各居住者の在宅状況に基づいてその時点での在宅状況をモード化し、各モードごとに機器のコントロール可能範囲を規定したものであり、図９にはこのモードテーブル６３の一例を示している。同図に示すように、ここでは親と高学年の子供（以下、「子供Ｘ」と言う）および低学年の子供（以下、「子供Ｙ」と言う）が在宅している場合をモードＡとし、親のみが在宅している場合をモードＢとし、子供Ｘおよび子供Ｙが在宅しているが親が不在である場合をモードＣとし、子供Ｙのみが在宅している場合をモードＤとし、居住者全員が不在である場合をモードＥとしている。そして、各モードごとにセキュリティシステム、家電システム、配送サービス、決済サービスのコントロール可能範囲を規定している。このため、親が在宅しているモードＡやモードＢでは各種機器がコントロール可能（どの機器も使える状態）になり、低学年の子供Ｙのみが在宅している場合にはドアホンやガス等がコントロール不可能（使用できない状態）になる。
【００５３】
次に、居住者が入退出時におこなう施錠／開錠について説明する。図２は、図１に示したホームコントロールシステムのうち施錠／開錠に係る部分を抽出した説明図であり、図３は、鍵の概略構成を示す図であり、図４は、開錠操作時におけるコントローラ５０の処理手順を示すフローチャートである。なお、ここで言う施錠／開錠の操作者と入退出管理とは直接的な関係はない。親が開錠して親子で住戸に侵入したり、玄関ドアを開放した状態で居住者が入退出することがあり得るからである。入退出管理については、図５等を用いてその詳細を後述することとする。
【００５４】
図２に示すように、玄関ドアの外側に鍵７０から赤外線送信された指紋データを受信する赤外線通信装置８０を配設するとともに、この赤外線通信装置８０をドアロック制御部１１に接続することにより、この鍵７０から送信した指紋データを用いて施錠／開錠をおこなうこととしている。ここで鍵７０は、指紋検出機能および赤外線通信機能を有する携帯型リモコンであり、図３に示すように、指紋検出部７１、赤外線送受信部７２、記憶部７３、電源部７３および制御部７５からなる。
【００５５】
指紋検出部７１は、図示しない指の載置面に居住者の指が載置された際に、該居住者の指紋データを取得して制御部７５に出力するセンサ部であり、たとえば圧力センサや温度センサ等を用いることができる。たとえば、圧力センサの場合には、指紋の凸部の圧力を利用して指紋データを形成することができ、温度センサを用いる場合には、載置面と接触する指紋の凸部は温度が低下するが接触しない指紋の凹部は温度が低下しない特性を利用して指紋データを形成することができる。
【００５６】
赤外線送受信部７２は、指紋検出部７１で検出された指紋データを赤外線光として出力する処理部であり、具体的には、米国の赤外線通信の標準化団体であるＩｒＤＡ（Infared Data Association）が規定するＩｒＤＡ規格などにしたがって赤外線によるデータ送受信をおこなう処理部である。
【００５７】
記憶部７３は、ＥＥＰＲＯＭ（NONVOLATILE MEMORY）などで形成される記憶デバイスであり、この記憶部７３内には、当該鍵を利用する居住者の指紋データが格納される。かかる指紋データを記憶部７３内に格納する理由は、玄関ドアを居住者が通過する際に、指紋データの読み取り行為をおこなうことなく指紋データを送信する必要があるからである。
【００５８】
そして、居住者が鍵７０の載置面７１に置いた指を押下すると、指紋検出部７１により居住者の指紋が読み取られ、読み取られた指紋データが記憶部７３に格納されるとともに、該指紋データが赤外線送受信部７２により入力指紋データとして赤外線通信装置８０に送信され、ドアロック制御部１１は、赤外線通信装置８０を介して受け取った入力指紋データをコントローラ５０に受け渡す。なお、かかる鍵７０と赤外線通信装置８０との間では、鍵が偽物でないか否かを確認するために識別ＩＤの認証などをおこなうが、ここではその詳細な説明を省略する。
【００５９】
そして、図４に示すように、コントローラ５０の指紋照合部５１が、この入力指紋データを受け付けると（ステップＳ１０１）、記憶部６０に記憶した登録指紋データ６０を取り出し（ステップＳ１０２）、入力指紋データを各居住者の登録指紋データと比較する（ステップＳ１０３）。なお、かかる比較は、指紋データそのものを比較するだけではなく、特徴量レベルで比較しても構わない。
【００６０】
そして、入力指紋データが登録指紋データのいずれかと一致する場合には（ステップＳ１０４肯定）、コントローラ５０の制御部５３がドアロック制御部１１に解除信号を出力して（ステップＳ１０５）、ドアロック制御部１１が玄関ドアを開錠し、入力指紋データがいずれの登録指紋データとも一致しない場合には（ステップＳ１０４否定）、警報音を鳴動させた後にログ記録をおこなう等のエラー処理をおこなう（ステップＳ１０６）。
【００６１】
上記一連の処理をおこなうことにより、赤外線通信機能を有する携帯型リモコンの鍵による指紋データに基づく玄関ドアの開錠をおこなうことができる。上記説明では、開錠時の処理手順を示したが、施錠時についても同様の手順でおこなうことができる。なお、ここでは携帯型リモコンの鍵を用いる場合のみを示したが、玄関ドアの内側に設けられた鍵を直接操作して施錠および開錠をおこなうこともできる。
【００６２】
次に、居住者が玄関ドアを通過する（入退出する）ことを利用して動的に入退出管理をおこなう仕組みについて説明する。図５は、図１に示したホームコントロールシステムのうち入退出管理に係る部分を抽出した説明図であり、図６は、在宅状況テーブル６２の一例を示す図であり、図７は、コントローラ５０による入退出管理の処置手順を示すフローチャートである。
【００６３】
すでに説明したように、鍵７０を形成する記憶部７３にはこの鍵を利用する居住者の指紋データが格納されているため、居住者が玄関ドアを通過する際に例えば鍵７０に設けられた入退出ボタンを押下すると、赤外線通信装置８０は鍵７０から指紋データを受信し、ドアロック制御部１１は、赤外線通信装置８０を介して受け取った入力指紋データをコントローラ５０に受け渡す。
【００６４】
そして、図７に示すように、コントローラ５０の指紋照合部５１が、この入力指紋データを受け付けると（ステップＳ２０１）、記憶部６０に記憶した登録指紋データ６１を取り出して、入力指紋データを各居住者の登録指紋データ６１と比較することにより、いずれの居住者が玄関ドアを通過したかを特定するとともに（ステップＳ２０２）、図示しないタイマから現在時刻を取得する（ステップＳ２０３）。
【００６５】
その後、在宅状況テーブル６２に基づいて当該居住者の入退出の別を判定した後（ステップＳ２０４）、在宅状況テーブル６２を更新する（ステップＳ２０５）。たとえば、図６に示す在宅状況テーブル６２の在宅状況時に父が玄関ドアを通過した場合には、入退出管理部５２は、不在であった父が帰宅したものと判定し、在宅状況テーブル６２中の父の在宅状況を「不在」から「在宅」に変更するとともに、タイマから取り出した時刻を入宅時刻に書き込む。
【００６６】
上記一連の処理をおこなうことにより、コントローラ５０の入退出管理部５２は、在宅状況テーブル６２を用いて動的かつリアルタイムに居住者の入退出状況を管理することができる。なお、ここでは「不在」であった居住者が玄関ドアを通過した際に単純に「在宅」と判定することとしたが、玄関ドア付近に複数の赤外線通信装置８０を設けて移動方向を求め、居住者が入宅するのか出宅するのかを把握することもできる。
【００６７】
次に、コントローラ５０による各種機器の制御について図１を用いて説明する。図８は、モードテーブル６３の一例を示す図であり、図９は、コントローラ５０による各種機器の制御手順を示すフローチャートである。
【００６８】
図９に示すように、コントローラ５０内の制御部５３は、記憶部６０に記憶した在宅状況テーブル６２を読み込み、この在宅状況テーブル６２から各居住者の在宅状況を取り出し（ステップＳ３０１）、取り出した在宅状況に基づいて在宅モードを決定する（ステップＳ３０２）。たとえば、図６の場合には、母、子供Ｘおよび子供Ｙが在宅状態にあることから、モードテーブル６３のモードＡに在宅モードを設定する。
【００６９】
その後、制御部５３は、在宅モードに対応する制御対象をモードテーブル６３から取り出し（ステップＳ３０３）、取り出した各制御対象を制御する（ステップＳ３０４）。たとえば、在宅モードがモードＡである場合には、図８に示すようにセキュリティシステム、家電システム、配送サービス、決済サービスのすべてが制御対象となるので、すべての機器が自由に使えるように制御することになる。なお、低学年の子供Ｙしか在宅しておらず在宅モードがモードＤである場合には、エアコンのみが自由に使えるようになる。低学年の子供Ｙにドアホン応答や配送受付などをさせないようにするためである。
【００７０】
上記一連の処理をおこなうことにより、住戸内の在宅者の状況に動的かつリアルタイムに適合した機器制御をおこなうことが可能となる。なお、ここでは図８に示したモードテーブル６３内にモードＡ〜Ｅの５つのモードしか設けなかったが、時間帯や季節などを考慮してさらに細かな制御をおこなうことも可能である。
【００７１】
上述してきたように、本実施例１では、指紋検出機能および赤外線送受信機能を有する携帯型リモコンの鍵を居住者が入退出時に操作すると、入退出管理部５２が指紋照合部５１による指紋照合結果を利用して在宅状況テーブル６２を用いた入退出管理を動的かつリアルタイムにおこなうとともに、制御部５３が在宅状況テーブル６２内に保持した各居住者の在宅状況に応じてセキュリティシステム１０、家電システム２０、配送コントローラ４０、決済コントローラを制御するよう構成したので、住戸内の在居者に応じて動的かつリアルタイムに各種機器を制御することができる。
【実施例２】
【００７２】
ところで、上記実施例１では、指紋検出機能および赤外線送受信機能を有する携帯型リモコンの鍵を用いる場合を示したが、本発明は非接触ＩＣカードを用いた場合に適用することもできる。そこで、本実施例２では、非接触ＩＣカード型の鍵を用いた場合を説明する。なお、上記実施例１と共通する部分については、その詳細な説明を省略する。
【００７３】
本実施例２では、実施例１の赤外線通信機能を有する携帯型リモコン型の鍵８０の代わりに非接触ＩＣカード型の鍵を用いるとともに、玄関ドア付近に設置する赤外線通信装置８０の代わりに非接触ＩＣカードのカードリーダ（以下、単に「リーダ」と言う）を設けることになる。たとえば、この非接触ＩＣカード型の鍵としては、近傍型（ISO 15693）の非接触ＩＣカードを用いることができるが、かかる鍵には実施例１と同様に指紋検出部を設ける必要がある。
【００７４】
図１０は、実施例２における施錠／開錠に係る部分を抽出した説明図であり、図１１は、非接触ＩＣカード型の鍵の概略構成を示す図である。図１０に示すように、玄関ドア付近に鍵９０から送信された指紋データを受信するリーダ１００を配設するとともに、このリーダ１００をドアロック制御部１１に接続することにより、この鍵９０から送信した指紋データを用いて施錠／開錠をおこなうこととしている。ここで、鍵９０は、図１１に示すように非接触型ＩＣカード（ＩＳＯ１５６９３に規定される近傍型の非接触ＩＣカード）を応用したものであり、指紋検出部９１、ＩＣチップ９２およびアンテナコイル９３により形成される。なお、電源については通常の非接触カードと同様にリーダ１００からの電波を利用する。
【００７５】
指紋検出部９１は、図示しない指の載置面に居住者の指が載置された際に、該居住者の指紋データを取得してＩＣチップ９２に出力するセンサ部であり、たとえば圧力センサや温度センサ等を用いることができる。
【００７６】
ＩＣチップ９２は、ＣＰＵ、ＲＡＭ、ＲＯＭ、ＥＥＰＲＯＭ（NONVOLATILE MEMORY）などからなる非接触ＩＣカードに広く用いられているＩＣチップであり、アンテナコイル９３は、鍵９０がリーダ１００に指紋データを転送する際に用いるアンテナである。このＥＥＲＯＭ内には、当該鍵を利用する居住者の指紋データが格納される。かかる指紋データをＥＥＰＲＯＭ内に格納する理由は、玄関ドアを居住者が通過する際に指紋データを送信する必要があるからである。
【００７７】
そして、居住者が鍵９０の載置面に置いた指を押下すると、指紋検出部９１により居住者の指紋が読み取られ、読み取られた指紋データが入力指紋データとしてリーダ１００に送信され、ドアロック制御部１１は、リーダ１００を介して受け取った入力指紋データをコントローラ５０に受け渡すことになる。なお、以後の処理は、図４で説明したものと同様の処理となる。このようにして、非接触ＩＣカード型の鍵９０による指紋データに基づく玄関ドアの開錠をおこなうことができる。
【００７８】
図１２は、実施例２における入退出管理に係る部分を抽出した説明図である。鍵９０を形成するＩＣチップ９２内のＥＥＰＲＯＭにはこの鍵を利用する居住者の指紋データが格納されているため、居住者が鍵を持参して玄関ドアを通過すると、リーダ１００は鍵９０から指紋データを受信し、ドアロック制御部１１は、リーダ１００を介して受け取った入力指紋データをコントローラ５０に受け渡す。つまり、居住者は、玄関ドアを通過する際に何らの操作を行わなくとも、指紋データの送信が可能になる。その後、図７で示した一連の処理をおこなう。
【００７９】
上述してきたように、本実施例２では、指紋検出機能を有する非接触ＩＣカード型の鍵を居住者が携帯して入退出すると、入退出管理部５２が指紋照合部５１による指紋照合結果を利用して在宅状況テーブル６２を用いた入退出管理を動的かつリアルタイムにおこなうとともに、制御部５３が在宅状況テーブル６２内に保持した各居住者の在宅状況に応じてセキュリティシステム１０、家電システム２０、配送コントローラ４０、決済コントローラを制御するよう構成したので、各居住者が入退出時に何らの操作を行わなくとも、住戸内の在居者に応じて動的かつリアルタイムに各種機器を制御することができる。
【００８０】
なお、上記実施例１〜２では、セキュリティシステム、家電システム、配送システム、決済システムを制御対象とする場合を示したが、本発明はこれに限定されるものではなく、住戸内に配置する各種機器、各種システムを制御対象とすることができる。
【００８１】
また、上記実施例１〜２では、指紋照合結果を利用して入退出管理をおこなうこととしたが、本発明はこれに限定されるものではなく、掌紋照合や顔照合などの身体的特徴を利用した照合結果に基づいて入退出管理をおこなうこともできる。
【産業上の利用可能性】
【００８２】
本発明にかかる装置は、住戸内の在居者に応じて動的かつリアルタイムに住戸内に配置した各種機器を制御する場合に有用である。
【図面の簡単な説明】
【００８３】
【図１】実施例１にかかるホームコントロールシステムのシステム構成を示すブロック図である。
【図２】図１に示したホームコントロールシステムのうち施錠／開錠に係る部分を抽出した説明図である。
【図３】鍵の概略構成を示す図である。
【図４】開錠操作時におけるコントローラの処理手順を示すフローチャートである。
【図５】図１に示したホームコントロールシステムのうち入退出管理に係る部分を抽出した説明図である。
【図６】在宅状況テーブルの一例を示す図である。
【図７】コントローラによる入退出管理の処置手順を示すフローチャートである。
【図８】モードテーブルの一例を示す図である。
【図９】コントローラによる各種機器の制御手順を示すフローチャートである。
【図１０】実施例２における施錠／開錠に係る部分を抽出した説明図である。
【図１１】非接触ＩＣカード型の鍵の概略構成を示す図である。
【図１２】実施例２における入退出管理に係る部分を抽出した説明図である。
【符号の説明】
【００８４】
１０  セキュリティシステム
１１  ドアロック制御部
１２  ドアホン
１３  警報コントローラ
２０  家電システム
２１  エアコンコントローラ
２２  ガスコントローラ
３０  配送コントローラ
４０  決済コントローラ
５０  コントローラ
５１  指紋照合部
５２  入退出管理部
５３  制御部
６０  記憶部
６１  登録指紋データ
６２  在宅状況テーブル
６３  モードテーブル
７０  赤外線通信機能を有する携帯型リモコンの鍵
７１  指紋検出部
７２  赤外線送受信部
７３  記憶部
７４  電源部
８０  赤外線通信装置
９０  非接触ＩＣカード型の鍵
９１  指紋検出部
９２  ＩＣチップ
９３  アンテナコイル
１００  リーダ
【図１】
2006128824.tif 000003
【図２】
2006128824.tif 000004
【図３】
2006128824.tif 000005
【図４】
2006128824.tif 000006
【図５】
2006128824.tif 000007
【図６】
2006128824.tif 000008
【図７】
2006128824.tif 000009
【図８】
2006128824.tif 000010
【図９】
2006128824.tif 000011
【図１０】
2006128824.tif 000012
【図１１】
2006128824.tif 000013
【図１２】
2006128824.tif 000014